(57)【特許請求の範囲】
【請求項１】
カート構造であって、
第一の端から第二の端に上向きに延在するベース柱であって、前記ベース柱内に規定されている前記第一の端から前記第二の端に延在する取付チャネルを有する、ベース柱と、
前記ベース柱に取付けられている複数の抽斗構造と
を備え、
前記抽斗構造の各々が、
前側端と前記前側端の反対側の後側端とを有する抽斗ハウジングであって、前記抽斗ハウジングの前記後側端が、前記取付チャネルにより前記ベース柱に固定して取付られていて、かつ抽斗ハウジングの開口が、前記前側端から内側に延在して内部空間を規定し、かつ前記抽斗ハウジングが、前記ベース柱に取付けられる際に隣接する抽斗ハウジングと連結するように構成されている上部作業トップを含む、抽斗ハウジングと、
前面を備える抽斗であって、１つ以上の区画が前記抽斗内に規定されていて、前記抽斗が、
前記区画が前記内部空間の範囲内で取囲まれていて、かつ前記抽斗の前記前面が、前記抽斗ハウジングの前記前側端からアクセス可能である第一の閉位置と、
前記抽斗の前記前面がユーザによって引出される時、前記区画が少なくとも部分的にアクセス可能である第二の開位置と
の間で、前記抽斗ハウジングの前記内部空間に対し摺動可能に移動可能である、抽斗と、
前記抽斗ハウジングから取外し可能である前記抽斗が、前記第二の開位置にあるときに、前記抽斗ハウジングから前記抽斗をリリースするための抽斗キャッチと、
前記抽斗を前記第一の閉位置にロックするためのロックと、
前記抽斗ハウジングに取付けられているパスコード入力用のアクセス・パッドと、
入力されたパスコードが、格納されているパスコード値にマッチすると、前記ロックを解除するためのプロセッサと
を備え、
一人以上の患者への安全なアクセスを提供するために、前記複数の抽斗構造の各々が、前記アクセス・パッドの内の対応するアクセス・パッドと前記プロセッサの内の対応するプロセッサとを有する、
カート構造。
【請求項２】
前記アクセス・パッドの各々が、キーパッドおよびカードリーダの何れかを備える、請求項１に記載のカート構造。
【請求項３】
前記作業トップの各々が、実質的に平面である上部面を含む、請求項１に記載のカート構造。
【請求項４】
周辺部が、前記抽斗ハウジングの各々の上面の周りに延在し、隆起が前記周辺部の周りに前記上面から上方向に延在し、前記隆起が薬剤、補給品、書込用具または小さい物品の何れかを保持するように構成されている、請求項３に記載のカート構造。
【請求項５】
前記抽斗構造の各々が、メモリを含み、前記格納されているパスコードの一つ以上が、前記メモリに保存されている、請求項１に記載のカート構造。
【請求項６】
前記抽斗構造の各々が、前記プロセッサに接続されているデータ・ポートを含む、請求項１に記載のカート構造。
【請求項７】
前記プロセッサの各々が、対応するデータ・ポートを介して情報を受信するように構成されていて、前記受信された情報が、対応するメモリ内に格納されるべきパスコード及び前記対応するメモリ内に格納されるべき時間閾値を備え、前記ロックが、前記時間閾値に達するとロックされるように構成されている、請求項６に記載のカート構造。
【請求項８】
前記プロセッサの各々が、前記対応するデータ・ポートを介して情報を外部コンピュータに送信するように構成されている、請求項６に記載のカート構造。
【請求項９】
前記対応するデータ・ポートを介して送信されるべき前記情報が、入力されたパスコード、抽斗位置、タイムスタンプ、患者情報または薬剤情報の何れかを備える、請求項８に記載のカート構造。
【請求項１０】
前記抽斗構造の各々が、前記対応するロックに関連した時間閾値を含み、
前記対応する抽斗がロック解除状態にある場合に、前記時間閾値に達すると、前記対応するロックがロックするように構成されている、請求項１に記載のカート構造。
【請求項１１】
前記抽斗構造の各々が、少なくとも１つの区画に関連するカバーを含み、前記抽斗が前記第二の開位置にある場合に、前記少なくとも１つの区画へのアクセスを提供するために、前記カバーが開放可能となるように構成されている、請求項１に記載のカート構造。
【請求項１２】
前記カバーが、ラベルを受入れるための機構を更に備える、請求項１１に記載のカート構造。
【請求項１３】
前記カバーが、半透明または透明の何れかであり、ユーザが、前記区画の中にコンテンツが存在するか否かを判断することができる、請求項１１に記載のカート構造。
【請求項１４】
前記ベース柱が、モバイル・カート構造に、固定して取付けられている、請求項１に記載のカート構造。
【請求項１５】
(a)  第一の端から第二の端に上向きに延在するベース柱であって、前記ベース柱内に規定されている前記第一の端から前記第二の端に延在する取付チャネルを有する、ベース柱に、複数の抽斗構造を取付けるステップであって、
前記抽斗構造の各々が、
前側端と前記前側端の反対側の後側端とを有する抽斗ハウジングであって、前記抽斗ハウジングの前記後側端が、前記取付チャネルにより前記ベース柱に固定して取付られていて、かつ抽斗ハウジングの開口が、前記前側端から内側に延在して内部空間を規定し、かつ前記抽斗ハウジングが、前記ベース柱に取付けられる際に隣接する抽斗ハウジングと連結するように構成されている上部作業トップを含む、抽斗ハウジングと、
前面を備える抽斗であって、１つ以上の区画が前記抽斗内に規定されていて、前記抽斗が、
前記区画が前記内部空間の範囲内で取囲まれていて、かつ前記抽斗の前記前面が、前記抽斗ハウジングの前記前側端からアクセス可能である第一の閉位置と、
前記抽斗の前記前面がユーザによって引出される時、前記区画が少なくとも部分的にアクセス可能である第二の開位置と
の間で、前記抽斗ハウジングの前記内部空間に対し摺動可能に移動可能である、抽斗と、
前記抽斗ハウジングから取外し可能である前記抽斗が、前記第二の開位置にあるときに、前記抽斗ハウジングから前記抽斗をリリースするための抽斗キャッチと、
前記抽斗を前記第一の閉位置にロックするためのロックと、
前記抽斗ハウジングに取付けられているパスコード入力用のアクセス・パッドと、
入力されたパスコードが、格納されているパスコード値にマッチすると、前記ロックを解除するためのプロセッサと
を含み、
一人以上の患者への安全なアクセスを提供するために、前記複数の抽斗構造の各々が、前記アクセス・パッドの内の対応するアクセス・パッドと前記プロセッサの内の対応するプロセッサとを有する、
ステップと、
(b)  前記ベース柱を、ベースまたは壁の何れかに固定して取付けるステップと、
(c)  前記抽斗構造の内の対応する抽斗構造に対して前記アクセス・パッドの内の対応するアクセス・パッドを介してユーザが入力したパスコードを、受信するステップと、
(d)  前記パスコードが、前記対応する抽斗構造に対して前記格納されているパスコード値のうちの１つとマッチするか否かを、前記対応するプロセッサが、判断するステップと、
(e)  前記入力されたパスコードが、前記対応する抽斗構造に対して前記格納されているパスコード値のうちの１つと一致する場合のみ、前記対応するロックを解除するステップと
を備える、プロセス。
【請求項１６】
前記アクセス・パッドの各々が、キーパッドまたはカードリーダの何れかを備える、請求項１５に記載のプロセス。
【請求項１７】
前記抽斗構造の各々が、更に、対応するメモリに保存されている閾値を備え、そして前記プロセスが、
前記ロックを解除する前記ステップが発生すると、タイマを始動するステップと、
前記タイマが時間閾値に達すると、前記ロックを再ロックするステップと
を更に備える、請求項１５に記載のプロセス。
【請求項１８】
前記抽斗ハウジングの各々が、前記対応するプロセッサに接続されているデータ・ポートを含み、そして前記プロセスが、
前記対応するデータ・ポートを介して一つ以上の受入れ可能なパスコードを受信するステップであって、前記一つ以上の受入れ可能なパスコードが、格納されているパスコード値である、ステップと、
前記受信された受入れ可能なパスコードを対応するメモリに保存するステップと、
を更に備える、請求項１５に記載のプロセス。
【請求項１９】
前記抽斗ハウジングの各々が、前記対応するプロセッサに接続されているデータ・ポートを含み、かつ前記プロセスが、
前記対応するデータ・ポートをコンピュータに接続するステップと、
前記対応するデータ・ポートを介して前記対応するプロセッサから前記コンピュータに情報をダウンロードするステップと、
を更に備える、請求項１５に記載のプロセス。
【請求項２０】
前記ダウンロードされた情報が、前記対応する抽斗の開閉、入力されたパスコード、または時間閾値に至るまたはそれを越えることに基づく前記対応する抽斗の再ロックの何れかに対応するタイムスタンプの何れかを備える、請求項１９に記載のプロセス。  
【請求項２１】
前記対応する格納されているパスコード値が、複数の受入れ可能なパスコードを備え、そして前記受入れ可能なパスコードの各々が、複数のユーザのうちの１人に固有である、請求項１５に記載のプロセス。
【請求項２２】
カート・ベースと、
前記カート・ベースに取付けられている少なくとも３つのキャスタと、
前記カート・ベースに固定して取付けられていて、かつ前記カート・ベースから上向きに第一の端から第二の端に延在するベース柱であって、前記ベース柱内に規定されている前記第一の端から前記第二の端に延在する取付チャネルを有している、ベース柱と、
前記取付チャネルにより前記ベース柱に固定して取付けられている複数の抽斗構造と
を備える、モバイル・カート・システムであって、
前記抽斗構造の各々が、
前側端と前記前側端の反対側の後側端とを有する抽斗ハウジングであって、前記抽斗ハウジングの前記後側端が、前記取付チャネルにより前記ベース柱に固定して取付られていて、かつ抽斗ハウジングの開口が、前記前側端から内側に延在して内部空間を規定し、かつ前記抽斗ハウジングが、前記ベース柱に取付けられる際に隣接する抽斗ハウジングと連結するように構成されている上部作業トップを含む、抽斗ハウジングと、
前面を備える抽斗であって、１つ以上の区画が前記抽斗内に規定されていて、前記抽斗が、
前記区画が前記内部空間の範囲内で取囲まれていて、かつ前記抽斗の前記前面が、前記抽斗ハウジングの前記前側端からアクセス可能である第一の閉位置と、
前記抽斗の前記前面がユーザによって引出される時、前記区画が少なくとも部分的にアクセス可能である第二の開位置と
の間で、前記抽斗ハウジングの前記内部空間に対し摺動可能に移動可能である、抽斗と、
前記抽斗ハウジングから取外し可能である前記抽斗が、前記第二の開位置にあるときに、前記抽斗ハウジングから前記抽斗をリリースするための抽斗キャッチと、
前記抽斗を前記第一の閉位置にロックするロックと、
前記抽斗ハウジングに取付けられているパスコード入力用のアクセス・パッドと、
入力されたパスコードが格納されているパスコード値にマッチすると、前記ロックを解除するためのプロセッサと
を備え、
一人以上の患者への安全なアクセスを提供するために、前記複数の抽斗構造の各々が、前記アクセス・パッドの内の対応するアクセス・パッドと前記プロセッサの内の対応するプロセッサとを有する、
モバイル・カート・システム。
【請求項２３】
対応する抽斗ハウジングに対して格納されている前記パスコード値が、前記対応する抽斗ハウジングに固有である、請求項２２に記載のモバイル・カート・システム。
【発明の詳細な説明】
【技術分野】
【０００１】
本発明は、抽斗の構造の分野に関する。より詳しくは、本発明は、医療環境の範囲内で調剤のために実行することができる改良されたモジュラ抽斗の構造およびそれに関連するプロセスに関する。
【背景技術】
【０００２】
調剤用のキャビネット、カセットおよびトレーは、しばしば、病院環境内のような状況で、薬剤の格納、搬送または配布の何れかのために、使用される。図１は、例えば、長さ14、幅16および高さ18を有するトレー構造12を備える、単純なトレー10の一例の斜視図である。トレー12は、その内側で規定される内側領域20を有し、ここでは、複数の格納区画26（例えば、26a-26k）を設けるために、例えば、一つ以上のパネル24およびコネクタ25を備える仕切り板システム22を、インストールしまたは規定することができる。
【０００３】
自動調剤キャビネット（ADC）は、ここ数年、中央化されていない薬剤の格納および配布のために多くの病院で使用されて来ている。この時に使用されていたADCの一例は、カリフォルニア州、サンディエゴ（San Diego）のCareFusion Corp.から入手可能なPyxis（登録商標）、MedStation（登録商標）、およびカリフォルニア州、サンフランシスコ（San Francisco）のMcKesson Corp.から入手可能なPROmanager RxTMである。
【０００４】
例えば、ADCへの移動を減らすために、患者の看護領域内で格納を提供する他のカートおよび格納キャビネットも、利用可能である。このようなカートおよびキャビネットは、病院の薬局で補充させる必要があるので、それらの格納スペースには本質的に制限があり、しかも、しばしば、部屋から部屋への移動が容易ではない。
【０００５】
病院は、通常、薬剤を、ADCに格納されるバーコードが付された一つの投薬量パッケージで購入する。病院の薬局にあるコンピュータは、薬が投与される前に、注文書の確認を可能にする。ADCは、例えば、看護師または臨床医が、患者の看護エリア内で薬剤にアクセスする権限を与える。この場合、ADCは、看護師または介護者に薬剤を調剤し、その後、看護師または介護者はそれを患者へ搬送および投与する。
【０００６】
患者専用のトレーまたはカセットには、通常、例えば、病院の薬局でまたはADCから、1回分の投与薬剤が充填される。この場合、薬剤キャビネットまたはカート内に格納することができるこれらのカセットは、通常、看護ユニットに搬送される。投与時、主治医、看護師または臨床医は、電子医学管理記録(eMAR)に薬剤の投与を記録する。
【０００７】
看護師の時間のかなりの部分は、薬剤の投与に関連していて、かつ各患者には、通常、任意の所定の間隔でいくつかの薬剤が与えられる。看護師は、例えば、安全性に対する配慮のため、一人の患者の投与のために薬剤を一度に搬送することが、しばしば、望ましいとされるが、これは、看護師に多くの時間と移動を要求する。ADCが近くにいる患者を回る場合には、二人以上の患者のための薬剤を一つのカートに格納することが、しばしば、望まれる。薬剤を間違える危険性が増大するので、一部の病院はこのことを禁じているが、他の病院は、多数の患者のための薬剤を同時に格納しかつ搬送することを許可している。
【０００８】
図２は、自動調剤キャビネットおよび通常の調剤トレーまたはカセットにより薬剤を調剤するためのワーク・フローのプロセス・サイクル50の一例のフロー・チャートである。例えば、通常、調剤部が、自動調剤キャビネットを充填または補充する（52）。看護師は、次で、薬剤が注文情報に対して正しいか否かを確認しつつ（56）、自動調剤キャビネットから薬剤を得（54）、そしてトレーまたはカセットを充填する。看護師は、必要に応じて、足りない薬剤、冷蔵された薬剤および／または解決法バッグ等を得（58）、そして薬剤を患者に運ぶ（60）。看護師は、次いで、例えば、在庫管理を提供しかつヒューマン・エラーを防止するために、通常、（例えば、識別ブレスレットを有する）患者と薬剤の両方のバーコードを読込む（62）。看護師は、次いで、例えば、（これらに限定されないが）ピルを切断しおよび／または水で薬剤を溶解して、必要な薬剤を用意する（64）。看護師は、次いで、薬剤を投与し（66）、薬剤の摂取を検証し（68）、そして（例えば、患者チャートに関連する）電子薬剤記録を作成する（70）。看護師は、次いで、通常、必要であれば薬包紙を捨て（72）、そして（例えば、二次検証により）廃棄する薬剤を処分する（74）。
【０００９】
（例えば、患者に運ぶためにカートに置かれている）図１に示される単純なトレー10には、中身が、落下したり、盗まれたり、および／または中身に不正な処理がなされたりすることについて、中身についてのセキュリティは、本質的には配慮されていない。図２に示されるようなワーク・フロー・プロセスの間のいかなる時点においても、このような本質的にレベルの低いセキュリティは、患者等にはなはだしいリスクを与える可能性がある。さらに、介護者は、薬剤にアクセスし、それを運搬および／または投与するプロセスの間、しばしば、中断され、そして、しばしば、（例えば、非常にリスクの高い薬についての投与を検証するために）他の看護師を探さなければならない（これによりさらにリスクが増大する）。
【００１０】
従って、薬剤の運搬および投与に関連するワーク・フロー・プロセスの間のセキュリティを向上させた医療抽斗構造を提供することは有利であろう。
【００１１】
従来のいくつかのキャビネットおよびカートは、標準の抽斗に対し、（キーパッドまたは電子キーロック・アセンブリのような）キーのないエントリを提供する。しかしながら、このような構造は、通常、このような抽斗内に単純な医療トレー（例えば、10）を配置する必要がある。このようなロック可能な抽斗の中に置かれる個別の医療トレーは、それらの位置およびアクセスについて、直接追跡することはできない。ここで、この抽斗は、抽斗またはキャビネット・システムに直接ドッキングさせることは出来ない。抽斗が閉じられかつロックされている場合には、このようなトレーは抽斗から取り出すことはできない。
【００１２】
従って、調剤トレーに直接ドッキングさせることができかつセキュリティも十分な医療抽斗構造を提供することは有利であろう。このような構造の開発は、大きな技術的進歩を構成するであろう。
【００１３】
いくつかの移動カートは、薬剤トレーまたはカセットにセキュリティを提供するために機械的ロックを含むが、このようなロックは操作するためには機械的キーを必要とする。しかしながら、このようなキーは紛失し易く、かつ紛失した場合個々のユーザにはそれを探す手段がない。従来のいくつかのカートは、一つ以上の標準の抽斗（このような抽斗は、取外し可能となるようには構成されていない）をキーを使用せずにエントリさせるが、薬剤の調剤に使用される場合、（例えば、図１に示されるトレー10のような）別々のトレーまたはカセットを、このような抽斗に格納しかつそこから取り出さねばならない。
【００１４】
従って、機械的キーを使わずに、薬剤にロック可能なアクセスを提供する取外し可能な抽斗構造を提供することは、有利であろう。このような抽斗構造の開発は、付加的な技術的進歩を構成するであろう。さらに、個々のユーザにその所在を探す可能性を提供する、取外し可能な抽斗構造を提供することは、有利であろう。このような抽斗構造の開発は、さらなる技術的進歩を構成するであろう。
【００１５】
固定されたキャビネットは、（例えば、看護師ステーションでの格納に対しては）、薬剤に対するセキュリティを提供することができるが、医学調剤トレーおよびカセットは、通常、医療設備のあらゆる場所に運ぶ必要があり、かつ患者を看護する場所で精査することが、通常、必要とされる。
【００１６】
従って、作業エリア全体にわたって容易に移動させることが出来る、移動カートに容易に一体化させる、安全な調剤抽斗構造を提供することは、有利であろう。このような抽斗構造の開発は、大きな技術的進歩を構成するであろう。さらにまた、（バーコード精査、アラームおよび／または患者病歴記録の何れかを提供するような）他の機器と容易に一体化される、このような安全なモバイル抽斗構造を提供することは有利であろう。このようなシステムの開発は、更なる技術的進歩を構成するであろう。
【発明の概要】
【００１７】
モジュラ抽斗構造は、その内部に規定されている内部空間を有する抽斗ハウジングと一つ以上の区画を備える抽斗とを備え、前記抽斗は、前記区画が前記内部空間の範囲内で確実に包囲されている第一の閉位置と、前記引出区画が少なくとも部分的にアクセス可能である第二の開位置との間で、前記抽斗ハウジングの前記内部空間に対し摺動可能に移動可能である。抽斗構造は、第一の閉位置に抽斗を制御可能にロックするためのロック機構と、パスコードのエントリのために抽斗ハウジングにマウントされている、（例えば、これらに限定されないが、キーパッドおよび／またはカード・スワイプ・パッドのような）アクセス・パッドと、入力されたパスコードが格納されているパスコード値にマッチする場合に、ロック機構のロックを解除するプロセッサとを、更に、含む。抽斗構造のいくつかの実施態様は、格納されている時間閾値を含み、この抽斗のロックが、格納されている時間閾値に合致するまたはその閾値を超える時間に対して解除されると、抽斗はロック位置に戻ることにより、無人の抽斗に対してセキュリティを提供し、そしてユーザが、抽斗のロックを解除しかつその中のコンテンツにアクセスするためには、パスコードを再び入れることを必要とする。
【図面の簡単な説明】
【００１８】
【図１】従来の医療調剤トレーの一例の斜視図である。
【図２】従来のトレーまたはカセットにより薬剤を調剤するためのプロセスの一例のフロー・チャートである。
【図３】改良型抽斗構造の拡大斜視図である。
【図４】改良型抽斗構造の単純な機能系統図である。
【図５】改良型抽斗構造が、例えば、キーボードの下にチャネルを有する医療カートに取り付けられている、改良型医療調剤抽斗の第一の実施態様の一例の線図を示す。
【図６】改良型抽斗構造が、例えば、作業面モジュールの直下にチャネルを有する医療カートに取り付けられている、改良型医療調剤抽斗の第二の実施態様の一例の線図を示す。
【図７】改良型抽斗構造が、医療カートにマウントされていて、かつ抽斗ハウジングの作業トップが、カートのための主要な作業面を備える、改良型医療調剤抽斗の実施態様の一例の線図を示す。
【図８】カート構造のベース列にマウントされている、複数の改良型医療調剤抽斗の一例の実施態様の線図を示す。
【図９】例えば、壁にマウントされている調剤構造を提供する、代替えの改良型医療調剤抽斗の一例の実施態様の線図を示す。
【図１０】改良型抽斗構造に、制御の設定、および／またはロギング、および動作データのダウンロードのようなサービスをさせるプロセスの一例を示す。
【図１１】改良型医療調剤抽斗により薬剤を調剤するプロセスの一例を示す。
【図１２】看護師が、改良型医療調剤抽斗を充填していることを示す線図である。
【図１３】看護師が、改良型医療調剤抽斗から薬剤を調剤していることを示す線図である。
【図１４】改良型医療調剤抽斗とのデータ接続を示す線図である。
【図１５】改良型抽斗構造に対する安全なアクセス、ロギング操作およびデータ転送を提供するプロセスの一例を示す。
【図１６】代替の改良型抽斗構造の機能を示す単純な線図である。
【図１７】例えば、作業面を提供するために、壁にマウントされている改良型医療調剤抽斗の実施態様の一例の線図を示す。
【図１８】例えば、調剤の前に、カートまたは壁ユニットにドックさせるために、薬剤が、一つ以上の改良型医療調剤抽斗の範囲内の二次エリアに転送される、代替のワーク・フロー・プロセスを示す。
【発明を実施するための形態】
【００１９】
図３は、改良型抽斗構造100（例えば、100a）の展開斜視図である。図４は、改良型抽斗構造100（例えば、100a）の単純な機能概略図140である。改良型抽斗構造100は、少なくとも1つの抽斗102を備え、これは、抽斗ハウジング104内で、（例えば、閉位置142cから開位置142oに開放し（141o）（図１3）、および／または開位置142oから閉位置142cに閉じる（141c）（図１2）ように）、摺動可能に移動可能である（141）。改良型抽斗構造100は、更に、例えば、（これらに限定されないが）キーパッド124aまたはカード・スワイプ・パッド124b（図１6）の何れかのような（例えば、キーのないエントリ・モジュール124である）アクセス・パッド124によって制御可能に活性化されるロックまたはラッチ148を含む。
【００２０】
改良型抽斗102のいくつかの実施態様は、好ましくは、（これに限定されない、補給品の一般的な格納のために）開放された内部103を有し、かつ（例えば、これらに限定されない、アクリル、ポリカーボネートまたはポリスチレン仕切板システム22である）一つ以上の仕切板24を更に含むことができる。例えば、移動カート（例えば、161（図５））にマウントされている改良型抽斗構造100内に、非常に多くの種類の補給品を格納することができる。補給品の例は、舌圧子、綿、ワイプ、カミソリ、鳴管、ペン、ガーゼ・パッド、紙または参照マテリアルを含むことができる。改良型抽斗構造100のいくつかの実施態様では、このような標準の抽斗102を、キー・ロック148によりロック可能とすることができるが、他の抽斗102では、ロックすることを不必要とすることもできる（148）。いくつかの実施態様では、抽斗構造100は、改良型抽斗102を、ロックを設けずに閉めた状態に置くことができるように構成される。
【００２１】
図３および図４に図示される改良型抽斗102の一例は、抽斗内部103を備える。ここで、一つ以上の区画108（例えば、108a-108c）は、一体化された仕切板106によって、および／または（例えば、これらに限定されないが、壁24およびコネクタ26を有する仕切板システム22のような）付加的な仕切板部品によって、規定することができる。
【００２２】
改良型抽斗102は、更に、1以上の区画108に対応する区画上部カバー112を含むことができる。区画上部カバー112は、改良型抽斗102が開放ポジション142oにある場合には開放されるようにヒンジ結合にする（113）ことができ、そして例えば、クリーニングのために、取外し可能とすることができる。区画カバー112は、（看護師、医師または臨床医のような）ユーザ、USR（図１１）が、どの区画108が充填されているか、そして充填されている場合、どの薬剤302（図１１）または補給品が、区画108の中に位置するかを容易に判断することができるように透明または半透明とすることができることが好ましい。一つ以上の区画カバー112は、更に、マークまたはラベル119、および／または（封入物のような）ラベル119を収容する手段117、窓、またはラベル119を保持するための1つ以上のスロットを備えることができる。
【００２３】
区画上部カバー112は、抽斗ハウジング104内にインストールされて、抽斗102が開放ポジション142oに位置する場合、または改良型抽斗102が抽斗ハウジング104から取り外されている場合の何れかに、開放可能となるように、区画108の上部に蝶番式に取り付けることができる（113）。区画上部カバー112は、例えば、意図せず開くことがないように、および改良型抽斗102が逆さまにされるまたは振られると、薬剤302（図１１）が、仕切板106, 24から落下するまたは跳ねることがないように、スナップ・フィットによって十分きつく閉めることができることが好ましい。
【００２４】
図３に見られる改良型抽斗102の例は、例えば、（抽斗ハウジング104と係合する122a、122bのような）ランナー122に対して、抽斗ハウジング104の内部空間120に対して、摺動可能である（141）。例えば、抽斗ランナー122a、122bは、改良型抽斗102のサイド105a, 105bおよび／または底107に対応することができることが好ましい。
【００２５】
図３および図４に見られる改良型抽斗102の例は、ロック・キャッチ114を備え、これにより、抽斗102が閉位置142cにある場合、ラッチ148をロックまたはロック解除させることができる。図３に見られるロック・キャッチ114の例が、抽斗サイドのサイド105（例えば、105a）に示されているが、ロック・キャッチ114は、これに代えて、（改良型抽斗102のサイド、底または背面の任意の位置に）これに対応する位置にあるラッチ148に対する、改良型抽斗102の如何なる位置にも位置決めすることができる。
【００２６】
改良型抽斗102は、更に、（例えば、改良型抽斗102の一方のサイドまたは反対側のサイド105に）１つ以上の抽斗キャッチ116を備えることができる。この場合、改良型抽斗102は、ユーザUSRがキャッチ116を解放しない限り、抽斗ハウジング104から完全に（すなわち、開位置142oを越えて）取り外すことが出来ないようにすることが好ましい。このようにして、ユーザUSRは、調剤部またはADCで改良型抽斗102に薬剤等を補充するため、スペースに余裕がない部屋で薬剤302を投与するため、または離れた場所にいる患者PT（図１3）に薬剤302を投与するために、改良型抽斗102を取り外すことができる。
【００２７】
改良型抽斗102のいくつかの実施態様は、最大3つまたは4つの長いエリア108に空間を分割するような、（例えば、正面から背面に走る）取外し可能な抽斗の高さの仕切板106を備えることが好ましい。改良型抽斗102が逆さまにされまたは揺すられた場合、区画108の間に薬剤、ツールまたは補給品が移動してしまうことが無いように、仕切板106は、抽斗102の全長または幅全体に延在することが好ましい。いくつかの実施態様では、仕切板106は、スナップ・フィットまたは留め金具で確実に保持される。
【００２８】
改良型抽斗102は、洗浄度の高い洗浄を行うことを可能とするように構成することができる。例えば、改良型抽斗102は、化学薬品、クリーナ、水または高温の何れにも耐える材料を備えることができる。さらに、改良型抽斗102は、容易に取り外すことができ、かつシンクまたは食器洗浄機で洗うことができる。いくつかの実施態様において、改良型抽斗102は、ポリプロピレン（PP）を備える。改良型抽斗102は、クリーニングの妨げになり得るギャップ、隆起または狭小な隅の何れかを最小にするように設計することもできる。いくつかの実施態様では、改良型抽斗102は、（射出成形により製造される単一の、継ぎ目のないパーツのような）単一のパーツを備える。例えば、改良型抽斗102は、上部作業モジュール174（図５、図６）にマッチするような、単一ガス・カウンタ・プレッシャSF整形パーツを備えることが好ましい。
【００２９】
図４に見られる改良型抽斗構造100の例は、プロセッサ144およびこれに対応するメモリ146を備える。ここで、ユーザUSRが、（例えば、文字、数字または符号125またはこれらのいかなる組合せをも備える）入力されたパスワードまたはパスコード127（図３）を備える一つ以上の文字125を入力することを可能にするために、アクセス・パッド124（例えば、キーパッド124a）は、情報エントリ154のための手段を提供する。格納されている一つ以上のパスコード154（例えば、154a-154j）は、改良型抽斗構造100に関連させることができ、かつ通常メモリ146に格納させることができる。ユーザUSRによりパスコード127がエントリ（402）（図１5）されると、格納されているパスコード154がプロセッサ144によって比較され（404）、および、マッチングが取れると（404）、プロセッサ144はラッチ148のロックを解除し、抽斗102を開くことを可能にする（142o）。例えば、マッチング決定ステップ404（図１5）で、マッチングが取れない場合、ラッチ148はロック位置に保持され、そして改良型抽斗102へのアクセスが阻止される。
【００３０】
図４に見られる改良型抽斗構造100の例は、プロセッサ144に接続されている（例えば、これに限定されるものではないが、UBSポート152のような）入出力（I/O）データ・ポート152も備える。I/Oポート152は、（メモリ146に格納されている1つ以上のパスコード154を、制御可能に、入力、変更または削除し、および／または改良型抽斗構造100の操作に関する情報をエクスポートするために）プロセッサ144へのアクセス（例えば、236, 242（図１0））を提供することが好ましい。例えば、このような情報は、（例えば、改良型抽斗102への薬剤302の充填、ロック操作またはロック解除操作に関連する時間、時間に基づく抽斗位置142および／またはパスコードのエントリのような）抽斗の動作についての日および時間を備えることができる。アクセスされた情報は、例えば、割り当てられた人員USR、病院エリア、作業スケジュール、課金および／または患者PTと比較するために、ダウンロードしかつ精査できることが、好ましい。
【００３１】
改良型抽斗構造100のいくつかの実施態様は、格納されている単一のパスコード154によって構成することができるが、改良型抽斗構造100の他の実施態様は、（例えば、固有のパスコード154を一人のユーザUSRまたは一群のユーザUSRに提供するように）格納されている複数のパスコード154（例えば、154a-154j）によって構成することができる。格納されている複数のパスコード154によって構成されている実施態様100は、抽斗構造100へのアクセスの追跡を提供することができることが好ましい。例えば、記録が、入力されたパスコード127が所定の時刻で使用された格納されているパスコード154にマッチすることが示されると、抽斗100へのこのアクセスは、入力されかつ記録されたパスコード127、154に対応する個々のユーザUSRによるものとすることができる。これに代えて、このように示されたユーザUSRが、その時点で存在しない場合、この情報は、入力されかつ認められたパスコード127が、危険にさらされている可能性があることを示すことができ、この場合、以前に認められて格納されているパスコード154は、選択し、削除および／または変更することができる。
【００３２】
改良型抽斗102が開位置142oから閉位置142cに移動する（141c、図１2）場合、改良型抽斗構造100は、自動的にロックすることができる（408、図１5）。同様に、改良型抽斗構造100が、閾値の時間周期の間ロック解除されている（410）場合、時間閾値156に達した後（例えば、30-60秒の設定値に達した後）、ロック148は自動的に再施錠されることができることが好ましい。例えば、図４に見られるように、（メモリ146に格納されているような）時間閾値156は、例えば、I/Oデータ・ポート152を介して設定させることができ、および／または予め設定された閾値156を備えることができる。いくつかの実施態様では、改良型抽斗102が、閉位置142cおよびロック解除位置にある場合、時間閾値に達した（156）後、ラッチ148は、ロックする（410）ことができることが好ましい。
【００３３】
図４に見られる改良型抽斗ハウジング104は、改良型抽斗構造100の安全に関連する別の部品を備える、それは、プロセッサ144に接続されていてかつ対応するメモリ146を有するアクセス・パッド124（例えば、キー・パッド124aまたはカード・パッド124b（図１6））を提供するように、電子キー・ロック・アセンブリ158に一体化させることができる。電子キー・ロック158は、交換可能であるか充電可能であるバッテリを保持する区画のような、電源159を備えることもできる。いくつかの実施態様では、電子キー・ロック158は、カリフォルニア州、Petalumaの、Digilock by Security People社により入手可能な使用可能なモデル番号DK-APHキーロック・モジュール158を備える。
【００３４】
改良型抽斗構造100は、（これらに限定されるものではないが、病院、研究室、医療オフィス、小売または他のビジネス用途、または家庭用途のためのような）様々な作業環境に対して構成することができる。例えば、改良型抽斗構造100は、様々な病院の要求およびワーク・フローに対して、これらに限定されるものではないが、以下のように、構成することができる：
−作業面モジュールの直下にマウントされる安全な抽斗型抽斗構造、
−それ自体が柱の任意の位置にマウントされていて、キーボードの下にある安全な抽斗型抽斗構造、
−それ自体が柱の任意の位置にマウントされていて、抽斗ハウジング104の上部が主要な作業面として機能する、安全な抽斗型抽斗構造、
−互いにスタックされている多数の安全な抽斗型抽斗構造100、または
−医療環境内に固定された安全な抽斗システム。
【００３５】
別のシステム構成100に対して、別の改良型抽斗102を構成することができることは好ましい。例えば、いくつかの改良型抽斗構造100は、抽斗内部103内で単一の区画106が規定されている、開放された改良型抽斗102を備えることができる。開放された抽斗構成は、抽斗102の背面（例えば、3インチ）部分が、開位置142oで抽斗ハウジング104によりまだ保持されている状態で、閉位置142cから開位置1042oに、摺動可能である（141o、図１3）ことが好ましい。この位置142oで、ユーザUSRは、（例えば、改良型抽斗102のサイドまたは底107に位置する）抽斗キャッチ114を制御可能に押して、ハウジング104から改良型抽斗102を完全に取り外すことができる。他の改良型抽斗102は、更に、（例えば、薬剤302または他の医療補給品の調剤のために）仕切板106またはカバー112の何れかを含むことができる。改良型抽斗102の別の実施態様がハウジング104から取外し可能であることが好ましいが、医療調剤のためのようないくつかの抽斗構造100は、薬剤302を補充し、保持し、かつ投与することができ、かつ抽斗ハウジング104に確実にはめ込むことができるような独立型筐体として構成することができる。
【００３６】
図５は、改良型抽斗構造100が、ベース柱166を有している医療カート161に（例えば、キーボード172の下に）取り付けられる、改良型医療調剤抽斗100の実施態様の一例の線図である。例えば、カート161の一例は、複数のキャスタ164を有するカート・ベース162に取り付けられているベース柱166を備えることができ、カート161は、ベース柱166に、（これらに限定されるものではないが、改良型抽斗構造100、作業モジュール174および／またはキーボード・モジュール170のような）一つ以上の別のモジュールを取り付けるための手段168を備える。いくつかの実施態様では、カート161は、カリフォルニア州、PetalumaのGCX社を介して入手可能であるような、可変高さローリング・カート（VHRC: variable height rolling cart）を備える。
【００３７】
図５に見られる例示的な改良型抽斗構造100は、一つ以上の中間締結部品167により、ベース柱166に固定させることができることが好ましい。改良型抽斗構造100は、例えば、取付けチャネル168内で固定されて保持されている中間ブラケット143（図４）に固定させることができる（147、図４）。結合された締結部品167は、（例えば、望ましくないアクセスの阻止および不正の防止のために）隠すことができることが好ましい。いくつかの実施態様では、抽斗102が閉位置／ロック位置142cにある場合、抽斗ハウジング104をベース柱166にマウントする締結具167は、隠れていてかつアクセスすることはできない。
【００３８】
図５に見られるカート161は、（例えば、薬剤302の補充、運搬および調剤のために）作業環境範囲内でユーザUSRが容易に移動させることができる、用途が広い装置を提供する。図５に見られる作業モジュール174は、ディスプレイ178および（例えば、ユーザUSRが情報を入力しかつ見ることができるキーボード172である）入力デバイスに連結されているプロセッサ177を備えることができるが好ましい。付加されるデバイス179または器具は、（これらに限定されるものではないが以下のような）作業モジュール174に取り付けることができることが好ましい：
−（例えば、薬剤302または患者識別コード322（図１2）を読込むための）バー・コード・リーダ179、および／または
−（例えば、これらに限定されるものではないが、血圧、脈拍、血糖、体温または流れの何れかを）テストまたはモニタする装置。
【００３９】
図５に見られるように、改良型抽斗構造100は、カート161が施設全体にわたって容易に移動させることができ、病院内の部屋に容易に出入りでき、かつ部屋の中を容易に移動させることができるように、それが取り付けられている構造の設置面積に適合するサイズに設定することが好ましい。例えば、この抽斗ハウジング104は、約10〜12インチの幅、約3〜3.5インチの高さおよび約8〜10インチの深さを備える。薬剤302を配送しかつ投与するプロセスの一例の間、図５に見られるカート161および改良型抽斗100のユーザUSRは、（例えば、バー・コード・リーダ179により）薬剤情報および／または患者情報を容易に入力させる（262、図１１）ことができ、かつ（患者チャート情報を提供することができ、かつ更に、符号化ステップ262に関連する任意のノートまたはアラームを表示することができる）ディスプレイ178を容易に見ることができる。
【００４０】
図５においても見られるように、改良型抽斗100のデータ・ポート152は、（例えば、USB線169によって）作業モジュール174のプロセッサ177にまたは別の端末に接続することができ、これにより、情報は、改良型抽斗構造100に、またはそれから容易に転送することができる。作業モジュール174は、（例えば、有線または無線ネットワークにより）、医療施設の（管理コンピュータ（例えば、344（図１4））のような）少なくとも1台の他のコンピュータに接続することができる。従って、改良型抽斗100の操作に関する情報は、作業モジュール174によって記録させることができ（240、図１0）、および／または他のコンピュータに転送させることができる（412、図１5）。同様に、例えば、確実にパスコード154を更新するため、または、必要に応じて、（例えば、薬剤302へのアクセスを阻止するために、）改良型抽斗構造100をロックするために、情報を、管理コンピュータから作業モジュール174に送出することができる。
【００４１】
図６は、医療カート161のベース柱166の、作業面176を有する作業モジュール174の直下にマウントされる改良型医療調剤抽斗構造100の実施態様の一例の線図180を示す。図７は、改良型医療調剤抽斗構造100の実施態様の一例の線図200を示し、改良型抽斗構造100は、医療カート161のベース柱166の任意の位置にマウントされていて、そして抽斗ハウジング104の作業トップ130は、（例えば、これらに制限されないが、薬の投与、チャートの更新またはノートの書込のために）カート・システム161の主要な作業面を備えている。改良型抽斗構造100のいくつかの実施態様では、抽斗ハウジング104は、（例えば、作業トップ130が書込作業に対し十分な剛性を有するために）約10ポンドの負荷強度を有する。改良型モジュラ形抽斗構造100のいくつかの実施態様に対し、抽斗ハウジング104は、25ポンドの負荷に対し3/8インチ未満の最大定格許容たわみを有する。例えば、薬剤302、補給品、書込用具、スピルまたは小さい物品の何れかを保持するために、抽斗ハウジング104は、更に、作業トップ130の周辺部に延在する隆起132（図３）を含むことができる。
【００４２】
図８は、（例えば、一人以上の患者PT（図１３）に対してアクセスを提供する）カート構造161のベース柱166にマウントされる複数の改良型医療調剤抽斗100の実施態様の一例の線図220を示す。改良型医療調剤抽斗構造100のいくつかの実施態様は、例えば、連結する表面を備えることによって、段積みを可能とすることができる。例えば、第一の改良型抽斗100の作業トップ130は、第二の改良型抽斗100のハウジング104の底の嵌合プロフィールにほぼ対応するプロフィールを有することができる。
【００４３】
図９は、（例えば、マウントされた格納および／または調剤に対して安全な壁抽斗102を提供する）代替の改良型医療調剤抽斗構造100の実施態様の一例の線図225である。図９に見られる抽斗ハウジング104は、壁226に直接または壁の中に装着可能であり、アクセス・パッド124がハウジング104の前面に位置する。図９に見られるように、データ・ポート152（例えば、152a）は、前面のハウジング面227に配置することもできるし、またはこれに代えて、（例えば、コンピュータ・ネットワーク229への有線接続228のように）ハウジング104のどこか他の場所（例えば、152b）に接続することもできる。図９に見られる改良型医療調剤抽斗構造100は、（例えば、これに限定されないが、緊急事態の場合のように）現場で容易にアクセス出来る薬剤302および／または補給品を提供し、かつ看護師または医師USRが、患者PTに対し、薬剤302または補給品に即時かつ安全にアクセスすることができるように、病院職員USRが予め搭載することもできる。
【００４４】
図１０は、改良型抽斗構造100に、（制御の設定、ロギングおよび操作データのダウンロードのような）サービスをさせるためのプロセス230の一例を示す。例えば、改良型抽斗構造100を提供することができ（232）、かつさらに、これをカート構造161のような配達構造と一体化する（234）ことができる。次で、（例えば、必要に応じて設定を確立するために）、例えば、ユーザまたは作業群に固有であるパスコード154を割り当てるために、改良型抽斗構造100のデータ・ポート152に接続する（236）ことができる。改良型引出構造100は、次で、（例えば、薬剤の安全な格納、運搬および調剤を提供する（302）ために）ワーク・フロー（例えば、ワーク・フロー・プロセス250（図１１））に一体化させる（240）ことができる。システム構成に基づいて、改良型抽斗構造100は、必要に応じて、ワーク・フローの間に作業モジュール174に、またはワーク・フローの後に、データ・ポート152を介して別の端末344（図１４）に再接続させる（242）ことができ、これにより、操作情報を、メモリ146からプロセッサ144にダウンロードする（244）ことができる。要求に応じて、改良型抽斗102は、取り外して、洗浄して、および再び取付けることができる（246）ことが好ましい。改良型抽斗構造100は、次で、新規なワーク・フローに入る（240）前に、（例えば、任意の設定を更新する（238）ために）サービスに戻る（248）ことができる。
【００４５】
図１１は、改良型医療調剤抽斗構造100により、薬剤302（図１３）の補充、運搬および調剤をするためのプロセス250のフロー・チャートの一例である。改良型抽斗構造100は、看護師または臨床医ユーザUSRに対し、ワーク・フロー250の大部分により、改良されたセキュリティ253を提供する。図１２は、看護師USRが、充填後に、改良型抽斗102を容易に閉じ（141c）かつロックすることができる、看護師USRが、改良型医療調剤抽斗構造100を充填する線図300である。図１３は、看護師USR が、開放する（141o）ために1つのパスコード154を入力する（330）、および改良型医療調剤抽斗構造100から薬剤302を調剤する線図320である。図１４は、改良型医療調剤抽斗構造100とのデータ接続169を示す線図340である。図１５は、ログ操作の安全なアクセスを提供するため、および改良型抽斗構造100によるデータ転送のためのプロセス400の一例を示す。
【００４６】
図１１に示されるように、調剤部は、通常、（ロックされている別々の部屋に配置することができる）自動調剤キャビネット（ADC）304（図１2）を充填しまたは補充する（252）ことができる。看護師USRは、次いで、改良型抽斗構造100により（例えば、カート161により）自動調剤キャビネット304から一人以上の患者PTのために薬剤302を得（254）、そして注文に対して薬剤をチェックする（256）。ADC 304から薬剤302を取得する（254）間、看護師USRは、通常、患者PTに関連するデータをキー入力し、そしてADC 304は、（例えば、単一の投与量キットの範囲内で）適切な薬剤を調剤する。薬剤302のキットが改良型抽斗102の中に格納されかつ抽斗が閉じられる（142c）と、抽斗102を開くためには看護師USRは有効なパスコード154を入力することが必要であるので、抽斗構造100は、例え、無人状態に置かれても、抽斗構造100は患者PTへの運搬260に対しセキュリティを提供する。
【００４７】
図１１に見られるプロセス250は、自動調剤キャビネット304との対応を示しているが、これに代えて、改良型抽斗構造を、（これらに限定されることはないが、看護師が調剤部から薬剤を直接受けとる（302）こと、または調剤部または他の職員が改良型抽斗を充填する（100）ことのような）他の可能なワーク・フローに対して使用することもできることは理解すべきである。例えば、調剤部は、抽斗100を直接充填するために、調剤部で（例えば、一人以上のユーザに関連する固有のパスコード154により）改良型抽斗構造に直接アクセスする（100）ことができる。
【００４８】
図１１にも見られるように、看護師USRは、必要に応じて、任意の失われた薬剤、冷蔵された薬剤および／または輸液バッグ等を得る（258）ことができ、かつ次いで、薬剤302が補充されている改良型抽斗構造100を患者PT（図１３）に運搬する（260）ことができる。看護師USRは、次で、通常、（例えば、在庫を管理するためかつヒューマン・エラーを阻止するために）、例えば、識別ブレスレット322（図１３）有する患者PTおよび薬剤302の両者のバー・コードを読込む（262）。看護師USRは、次で、必要に応じて、（例えば、これには限定されないが、ピルを切断し、および／または薬剤302を水に溶解させるために）薬剤302を用意する（264）。看護師USRは、次で、薬剤302を投与し（266）、薬剤302の摂取を検証し（268）、および（例えば、患者チャート324（図１２）に関連させて）電子薬剤記録を作成する（270）。看護師USRは、次で、通常、必要に応じていかなる薬包紙も廃棄し（272）、そして（例えば、二次検証によって）不要な薬剤302を処分する（274）。
【００４９】
図１１に見られるプロセスの一例では、改良型抽斗構造100は、薬剤の取得、運搬、投与およびロギングに関連する多くのステップにより、セキュリティを提供する（253）。図１４に見られるように、（例えば、データ・ポート152により接続されているケーブル169によって）改良型抽斗構造100は、別のコンピュータまたは端末344に接続することができる。これにより、改良型抽斗構造100は、
−ワーク・フロー・プロセス240（図１０）が開始される前に、
−患者および薬剤、薬剤の投与または病歴記録を符号化するような、作業の間に、および／または
−（シフトの間またはそれの終了後のように）作業フロー・プロセス240を完了させた後に、
容易に、更新させまたは同期させることができる（238、図１０）。
【００５０】
従って、（作業カート・システム161と組み合わせたような）改良型抽斗構造100は、（これらに限定されないが、救急部（ED）、集中治療室（ICU）、オペレーティング・ルーム（OR）、回復ルームまたは他の病院ルームのような）様々な病院の施設に対し、安全な格納を提供することができる。（一つ以上の改良型抽斗構造100を有する）カート161は、これらに限定されないが、様々な材料に対し安全な格納を提供しつつ、臨床病歴記録、薬剤投与、または遠隔ワークステーションとしての何れかのために、
−薬剤302
−一般的に使用される補給品（舌圧子、クリーニング補給品等） 
−書類、または
−参照資料
の（これらに限定されないが）何れかを、容易に使用することができる。
【００５１】
改良型引き構造100は、（例えば、取付けチャネル168（図５）に垂直に）ベース柱166のいかなる場所にも容易にマウントさせることができる。改良型引き構造100の代替の実施態様では、（例えば、抽斗102がカート161の横側に開口を有するように）柱構造166の背面に、垂直にマウントさせることができる。
【００５２】
図１5に示されるように、改良型抽斗構造100は、（例えば、ワーク・フロー・プロセス（240、図１０）の間に）キーパッド124を介して（例えば、正規ユーザUSRによって）入力されたパスコード127を受信する（402）ことができる。プロセッサ144は、入力されたパスコード127が、現在格納されている、すなわち、受け入れ可能なパスコード154にマッチするか否かを決定する（404）。マッチする場合、プロセッサ144は信号を送る、またはタイマ145（図４）がスタートしている場合には、ラッチ148が抽斗102のロックを解除することを可能にする。ユーザUSRが、（例えば、薬剤302を調剤するために）ロックされていない抽斗102を開き、ユーザUSRがこの抽斗を閉める（141c）と、プロセッサ144は、ラッチ148を自動的に再ロックすることができることが好ましい。この場合、ユーザUSRには、パスコード127の再入力（402）が要求される（411）。いくつかのシステムの実施態様100では、ユーザUSRが改良型抽斗102を開く前に、時間閾値156（図４）に達してしまうと、プロセッサ144は、抽斗102を再ロックすることができる。図１5にも見られるように、操作データは、データ・ポート152を介してダウンロードする（412）ことができる。
【００５３】
図１６は、代替の改良型抽斗構造100（例えば、100b）の単純化された機能の線図420である。図１６に見られる改良型抽斗構造100は、キーのないエントリ・モジュール124（例えば、カード・スワイプ・パッド124b）のようなアクセス・パッド124により制御可能に活性化されるロックまたはラッチ148を備え、ここでは、一枚以上のアクセス・カード427により、機械的キーを必要とせずに、改良型抽斗構造100への安全キーのないアクセスが提供される。
【００５４】
図１６に見られるカード・スワイプ・パッド124bは、（例えば、カードリーダ・スロット425を介してアクセス・カード427をスライドまたは挿入することにより）ユーザUSRが、アクセス・カード427から符号化情報を入力することを可能にする。アクセス・カード427は、（例えば、ユーザUSRまたはUSRの一群に一意的に割り当てられている）電子的または無線周波数識別（RFID）パスコード154を含む。カード427がカードリーダ・スロット425を通って、符号化されたパスコード154が読込まれ、かつプロセッサ144によって格納されているパスコード154と比較され（404）、そしてマッチングが取れる（404）と、プロセッサ144は、ラッチ148のロックを解除して抽斗102を開く（142o）ことを可能にする。マッチングが取れない場合（例えば、405、図１０）、ラッチ148はロックされた位置に保持され、改良型抽斗102へのアクセスが阻止される。
【００５５】
（図１６に見られる改良型構造100bのような）改良型抽斗構造100は、（例えば、入出力（I/O）データ・ポート152および／またはプロセッサ144に接続されている）マスタ・キー・データ転送430を備える、データ転送のための手段を備えることができることが好ましい。マスタ・キー・データ・アクセス430は、単独で、またはデータ・ポート152と共に、使用することができることが好ましい。例えば、I/Oデータ・ポート152および／またはマスタ・キー・データ・アクセス430は、（例えば、メモリ146に格納されている）一つ以上のパスコード154を制御可能に入力、変化または削除させ、および／または改良型抽斗構造100の操作に関する情報をエクスポートするために、プロセッサ144に、アクセス（例えば、236, 242（図１０））を提供することができる。
【００５６】
改良型抽斗構造100（例えば、100b）は、（例えば、プロセッサを介して連結されている、またはラッチ148に直接連結されている）改良型抽斗102へのアクセスを提供するキー・オーバーライド432を備えることもできる。例えば、電子ロック158が機能しないまたは死んでいる状況では、（例えば、機械的キーを備えている）キー・オーバーライド432の操作は、緊急な薬剤302への即時アクセスを提供することができる。
【００５７】
図１７は、（例えば、作業面130を提供するために）壁100に外からマウントされる改良型医療調剤抽斗構造100の実施態様の一例の線図440を示す。図１７に見られる改良型抽斗構造100は、（例えば、取付けチャネル168を介して）壁226に接続されている。この構造は、壁226から延在する、すなわち、突出しているので、看護師USRは、（例えば、壁取付けフラットパネル・ディスプレイ178）と共に作業面130を使用することができる。作業面130は、キーボード172、チャートおよび／または薬剤302の調合の何れかのための作業領域を提供する。
【００５８】
図１８は、調剤部が、一つ以上の改良型抽斗構造100に薬剤302を充填する（452）代替のワーク・フロー・プロセス450を示す。調剤部または他の担当者は、次で、（例えば、エリア、ステーション、またはフロアに）1つ以上の改良型抽斗構造100を運搬し（453）、そこで1人以上の看護師USRがそれを受け取る（454）ことができる。いくつかの改良型抽斗構造100は、（例えば、トロリーで、または積み重ねられた抽斗構造220（図８）で）、運ぶ（453）ことが好ましい。改良型抽斗構造100が、配達エリア、ステーションまたはフロアに到着すると、改良型抽斗構造100は、（例えば、カート161または壁ユニット、例えば、225（図９、図１７）の範囲内で）、受取（454）のために確実にドッキングさせることができることが、好ましい。
【００５９】
従って、改良型抽斗構造100は、様々な環境およびワーク・フローの全体にわたって容易に改良されたセキュリティを提供する。入力されたパスコード127と格納されているパスコード154にマッチングを取ることにより、容易に紛失しまたは複製されてしまう機械的キーが不必要となる。さらに、格納されているパスコード154は、個々のユーザへの追跡性を提供することができる。さらにまた、操作データは、データ・インタフェース152を介して容易に収集されかつダウンロードされる。改良型抽斗構造100は、ドアが閉じている場合には自動的にロックする「デッドラッチ」408を提供することができ、および／または抽斗102が、格納されている時間閾値156に合う時間、またはそれを超える時間、ロックが解除されたままである場合には、自動的に再ロックさせる（410）ことができる。
【００６０】
改良型抽斗構造および使用方法が、上述の説明では、病院環境との関係で記載されているが、この抽斗構造は、必ずしも、薬剤および／または医療補給品の格納および調剤に限定されるわけではなく、これらに代えて、様々な環境において、様々な項目のための格納、アクセスおよび配布の何れに対しても使用することができる。
【００６１】
同様に、改良型抽斗構造および使用方法の一例が、キーパッドおよびカードリーダのような、アクセス・パッドとの関係で記載されているが、安全キーのないアクセスのための他の機構は、改良型抽斗構造および方法（例えば、指紋スキャナ、網膜スキャナおよび／または顔認識）と容易に一体化させることができることは、理解されるべきである。
【００６２】
したがって、本発明は、特定の好ましい実施態様を参照して詳細に記載されたが、当業者は、そして、種々の変更例および強化は続く請求項の精神と範囲から逸脱することなくなされることができることを理解するであろう。
【００６３】
（関連出願についてのクロス・リファレンス）
この出願は、2011年4月14日に米国に特許出願された出願番号第13/087176号の便益を請求し、そして、これはこの参照によって完全に本願明細書に組み込まれている。
【図１】
0005903158.tif 000002
【図２】
0005903158.tif 000003
【図３】
0005903158.tif 000004
【図４】
0005903158.tif 000005
【図５】
0005903158.tif 000006
【図６】
0005903158.tif 000007
【図７】
0005903158.tif 000008
【図８】
0005903158.tif 000009
【図９】
0005903158.tif 000010
【図１０】
0005903158.tif 000011
【図１１】
0005903158.tif 000012
【図１２】
0005903158.tif 000013
【図１３】
0005903158.tif 000014
【図１４】
0005903158.tif 000015
【図１５】
0005903158.tif 000016
【図１６】
0005903158.tif 000017
【図１７】
0005903158.tif 000018
【図１８】
0005903158.tif 000019